(57)【特許請求の範囲】
【請求項１】
外部保存記憶手段に保存記憶された画像データを取り込んで画像を印刷出力する画像プリント装置において、
画像である広告情報を記憶した広告情報記憶手段と、
前記取り込んだ画像データから広告画像である広告情報を抽出する広告情報抽出手段と、
前記広告画像である広告情報を正規化する正規化手段と、
前記広告情報抽出手段によって抽出された広告情報と前記広告情報記憶手段に記憶されている広告情報との比較を行なう比較手段と、
前記比較手段による比較結果に基いて印刷料金の割り引き計算を行なう料金計算手段と、を備えたことを特徴とする画像プリント装置。
【請求項２】
ネットワークを介して接続された外部保存記憶手段に保存記憶された画像データを取り込んで画像を印刷出力する画像プリント装置と、サーバとからなる画像プリントシステムにおいて、
前記サーバは、
画像である広告情報を記憶した広告情報記憶手段と、
前記広告情報記憶手段に記憶された広告情報を前記画像プリント装置に送信する広告情報送信手段と、を備え、
前記画像プリント装置は、
前記取り込んだ画像データから広告画像である広告情報を抽出する広告情報抽出手段と、
前記広告画像である広告情報を正規化する正規化手段と、
前記ネットワークを介して前記サーバから前記広告情報記憶手段に記憶された広告情報を受信する広告情報受信手段と、
前記広告情報抽出手段によって抽出された広告情報と前記受信した広告情報との比較を行なう比較手段と、
前記比較手段による比較結果に基いて印刷料金の割り引き計算を行なう料金計算手段と、を備えたことを特徴とする画像プリントシステム。
【請求項３】
ネットワークを介して接続された外部保存記憶手段に保存記憶された画像データを取り込んで画像を印刷出力する画像プリント装置と、サーバとからなる画像プリントシステムにおいて、
前記サーバは、
画像である広告情報を記憶した広告情報記憶手段と、
前記画像プリント装置から前記ネットワークを介して送信される画像データを受信する画像データ受信手段と、
前記受信した画像データから広告画像である広告情報を抽出する広告情報抽出手段と、
前記広告画像である広告情報を正規化する正規化手段と、
前記広告情報抽出手段によって抽出された広告情報と前記受信した広告情報との比較を行なう比較手段と、
前記比較手段による比較結果を前記ネットワークを介して前記画像プリント装置に送信する比較結果送信手段と、を備え、
前記画像プリント装置は、
前記取り込んだ画像データを前記ネットワークを介して前記サーバに送信する画像データ送信手段と、
前記サーバから送信される比較結果を受信する比較結果受信手段と、
前記受信した比較結果に基いて印刷料金の割り引き計算を行なう料金計算手段と、を備えたことを特徴とする画像プリントシステム。
【請求項４】
外部保存記憶手段に保存記憶された画像データを取り込む工程と、
前記取り込んだ画像データを印刷する工程と、
前記取り込んだ画像データから広告画像である広告情報を抽出する工程と、
前記抽出した広告情報を正規化する工程と、
前記正規化した広告情報と予め記憶されている画像である広告情報との比較を行なう工程と、
前記比較結果に基いて印刷料金の割り引き計算を行なう工程と、を備えたことを特徴とする画像プリント方法。
【請求項５】
外部保存記憶手段に保存記憶された画像データを取り込むステップと、
前記取り込んだ画像データを印刷するステップと、
前記取り込んだ画像データから広告画像である広告情報を抽出するステップと、
前記抽出した広告情報を正規化するステップと、
前記正規化した広告情報と予め記憶されている画像である広告情報との比較を行なうステップと、
前記比較結果に基いて印刷料金の割り引き計算を行なうステップと、を備えたことを特徴とする画像プリントプログラム。
【発明の詳細な説明】
【０００１】
【発明の属する技術分野】
本発明は、プリントベンダ等の画像プリントシステムに関し、広告によるプリント代金の割引機能を備えたプリントシステムに関する。
【０００２】
【従来の技術】
従来、写真を撮る場合、背景に商店の広告や野立看板が写っていても撮影者にとって格段の利益があるわけでもなく、むしろ周囲の背景とのバランスを欠く場合が多いので、広告を構図から外して撮影する場合が普通であった。
【０００３】
【発明が解決しようとする課題】
一方、看板広告等の設置者側から見れば、撮影された写真にも広告が写っていれば宣伝効果があるので広告も構図に入れてほしいが、上述したような理由で広告が構図から外される場合が多いといった問題点があった。
【０００４】
ここで何らかの手段で撮影者に利益を与え、広告を構図に入れてもらえるようにすれば宣伝効果を期待できるが、従来は具体的手段が提供されていなかった。
【０００５】
本発明は、上記課題を解決するためになされたものであり、広告が写された写真のプリント代金の割引機能を備えた画像プリント装置、画像プリントシステム、画像プリント方法及びプログラムの提供を目的とする。
【０００６】
【課題を解決するための手段】
上記課題を解決するために、第１の発明の画像プリント装置は、外部保存記憶手段に保存記憶された画像データを取り込んで画像を印刷出力する画像プリント装置において、画像である広告情報を記憶した広告情報記憶手段と、取り込んだ画像データから広告画像である広告情報を抽出する広告情報抽出手段と、広告画像である広告情報を正規化する正規化手段と、広告情報抽出手段によって抽出された広告情報と広告情報記憶手段に記憶されている広告情報との比較を行なう比較手段と、比較手段による比較結果に基いて印刷料金の割り引き計算を行なう料金計算手段と、を備えたことを特徴とする。
【０００８】
また、第２の発明の画像プリントシステムは、ネットワークを介して接続された外部保存記憶手段に保存記憶された画像データを取り込んで画像を印刷出力する画像プリント装置と、サーバとからなる画像プリントシステムにおいて、サーバは、画像である広告情報を記憶した広告情報記憶手段と、広告情報記憶手段に記憶された広告情報を画像プリント装置に送信する広告情報送信手段と、を備え、画像プリント装置は、取り込んだ画像データから広告画像である広告情報を抽出する広告情報抽出手段と、広告画像である広告情報を正規化する正規化手段と、ネットワークを介してサーバから広告情報記憶手段に記憶された広告情報を受信する広告情報受信手段と、広告情報抽出手段によって抽出された広告情報と受信した広告情報との比較を行なう比較手段と、比較手段による比較結果に基いて印刷料金の割り引き計算を行なう料金計算手段と、を備えたことを特徴とする。
【０００９】
また、第３の発明の画像プリントシステムは、ネットワークを介して接続された外部保存記憶手段に保存記憶された画像データを取り込んで画像を印刷出力する画像プリント装置と、サーバとからなる画像プリントシステムにおいて、サーバは、画像である広告情報を記憶した広告情報記憶手段と、画像プリント装置からネットワークを介して送信される画像データを受信する画像データ受信手段と、受信した画像データから広告画像である広告情報を抽出する広告情報抽出手段と、広告画像である広告情報を正規化する正規化手段と、広告情報抽出手段によって抽出された広告情報と受信した広告情報との比較を行なう比較手段と、比較手段による比較結果をネットワークを介して画像プリント装置に送信する比較結果送信手段と、を備え、画像プリント装置は、取り込んだ画像データをネットワークを介してサーバに送信する画像データ送信手段と、サーバから送信される比較結果を受信する比較結果受信手段と、受信した比較結果に基いて印刷料金の割り引き計算を行なう料金計算手段と、を備えたことを特徴とする。
【００１１】
また、第４の発明の画像プリント方法は、外部保存記憶手段に保存記憶された画像データを取り込む工程と、取り込んだ画像データを印刷する工程と、取り込んだ画像データから広告画像である広告情報を抽出する工程と、抽出した広告情報を正規化する工程と、正規化した広告情報と予め記憶されている画像である広告情報との比較を行なう工程と、比較結果に基いて印刷料金の割り引き計算を行なう工程と、を備えたことを特徴とする。
【００１２】
また、第５の発明の画像プリントプログラムは、外部保存記憶手段に保存記憶された画像データを取り込むステップと、取り込んだ画像データを印刷するステップと、取り込んだ画像データから広告画像である広告情報を抽出するステップと、抽出した広告情報を正規化するステップと、正規化した広告情報と予め記憶されている画像である広告情報との比較を行なうステップと、比較結果に基いて印刷料金の割り引き計算を行なうステップと、を備えたことを特徴とする。
【００１３】
【発明の実施の形態】
＜第１の実施例＞
本実施例ではスタンドアローンタイプのプリントベンダ（有料画像印刷装置）で画像を印刷する際、データベースに登録されている広告比較画像（広告主から提供されデータベースに予め登録されている広告情報）が写されている画像については印刷料金を割り引く。
【００１４】
図１は本発明の広告割引機能付プリントシステムの一実施例の外観図であり、プリントベンダ１００は筐体正面に操作部１、料金精算部２、近距離通信データ受信部５、表示部８、メモリーカード挿入口１６、ＵＳＢ端子１７及びプリント画像排出口１９を備えており、台座や建物の壁面等に固定具で固定されている。
【００１５】
操作部１には十字キー１−１、確定キー１−２、プラスキー１−３／マイナスキー１−４及び印刷開始ボタン１−５が設けられている。また、料金精算部２には現金投入口２−１、カード挿入口２−２及びつり銭排出口２−３が設けられている。なお、十字キー１−１はカーソル移動キーとして機能し、十字キー１−１の十字の上端、下端、左端又は右端を押すと表示部８に表示されるカーソル６１（図３）が上方向、下方向、左方向又は右方向へ移動する。
【００１６】
図１で、まず、ユーザはプリントベンダ１００のメモリーカード挿入口１６、ＵＳＢ端子１７又は近距離通信データ受信部５を介してプリントベンダ１００とデジタルカメラ等の撮像装置（図示せず）とのデータアクセスを行なう。
画像データの保存記憶メモリが撮像装置に着脱可能なメモリーカードの場合は、ユーザは撮像装置からメモリーカードを取り外してメモリーカード挿入口１６に挿入するとメモリーカードに記憶された画像データがプリントベンダ１００側に取り込まれる。また、画像データの保存記憶メモリが撮像装置内部に固定された固定メモリの場合は、ユーザがプリントベンダ１００のＵＳＢ端子１７と撮像装置に設けられたＵＳＢ端子をＵＳＢケーブルで接続し、撮像装置側で所定の操作を行なうと撮像装置の固定メモリに記憶されている画像データがプリントベンダ１００に送信され、プリントベンダ１００側に取り込まれる。また、撮像装置に赤外線通信装置やブルートゥース等の近距離通信手段が設けられている場合には、ユーザは撮像装置に設けられている近距離通信データ送信部をプリントベンダ１００の近距離通信データ受信部５に近づけて所定の操作を行なうことにより撮像装置の保存記憶メモリに記憶されている画像データがプリントベンダ１００に送信され、プリントベンダ１００側に取り込まれる。なお、プリントベンダ１００が取り込む画像データは、１フレーム分の画像データからなる本画像データ（複数）と本画像データに対応したサムネイル画像（縮小画像）であることが望ましいが、本画像データのみでもよい。
【００１７】
次に、ユーザは表示部８に表示されるサムネイル画像（図３）のうちから印刷したい画像を選択する。この際、十字キー１−１を操作してカーソル６１を所望の画像位置に移動させ、確定キー１−２を押すとその画像が選択される。
【００１８】
次に、プラスキー１−３を操作して印刷枚数を指定する。この際、プラスキー１−３を押しつづけると１ずつ枚数が加算される。また、プラスキー１−３を押しすぎた場合はマイナスキー１−４を押すと１ずつ枚数が減じられる。また、確定キー１−２を押すと印刷枚数が確定する。また、印刷枚数が確定すると図３に示すように画面の料金表示欄に広告割引後料金の合計（通常料金の合計−広告割引の合計）が表示される。
【００１９】
画像選択操作及び印刷枚数指定操作を所望の画像について行なった後、ユーザが料金精算部２の現金投入口２−１に利用料金を入れるか、カード挿入口２−２にクレジットカード又はプリペイドカードを挿入する。ユーザが印刷開始指示ボタン１−５を押すと選択された画像の印刷が開始され、印刷画像がプリント画像排出口１９から排出される。選択された各画像の印刷が終了すると、現金を投入した場合でつり銭がある場合はつり銭がつり銭排出口２−３から排出される。なお、つり銭の排出は印刷開始指示ボタン１−５を押す前に行なうようにしてもよい。
【００２０】
また、上記図１で十字キー１−１を画像選択キーとしたがこれに限定されない。例えば、表示部８を指等でタッチするとタッチした部分がポイント入力とされるタッチ入力式の画面とし、表示されるサムネイル画像を指でポイントして選択するように構成してもよい（この場合、十字キー１−１は不要となる）。また、画像データの取り込み口は近距離通信データ受信部５、メモリーカード挿入口１６及びＵＳＢ端子１７に限定されない。
【００２１】
図２は図１に示したプリントベンダ１００の回路構成の一実施例を示すブロック図であり、プリントベンダ１００は、操作部１、料金精算部２、メモリーカード読取部３、ＵＳＢインターフェイス４、近距離通信データ受信部５、ＣＰＵ６、プログラムメモリ７、表示部８、プリンタ９、広告画像正規化部１０、広告画像比較部１１、データベース１２、ワークメモリ１３を備えている。また、後述（第２、第３の実施例）するようにネットワークインターフェイス１４を備えるようにしてもよい。
【００２２】
図２で、操作部１は図１に示した十字キー１−１、確定キー１−２、プラスキー１−３／マイナスキー１−４及び印刷開始ボタン１−５を備え、これらのキーの操作結果を電気信号に変換してＣＰＵ６に送る。
【００２３】
料金精算部２は図１に示した現金投入口２−１から投入した現金の種別及び枚数を検出し投入金額を計算してその結果をＣＰＵ６に送出する投入金額検出部、つり銭保管部、ＣＰＵ６からのつり銭排出指示に基いてつり銭をつり銭排出口２−３に搬出するつり銭排出機構からなる現金精算部（図示せず）と、クレジットカードがカード挿入口２−２から挿入されるとクレジットカードに記憶されている会員情報を読み取ってＣＰＵ６に送出し、クレジットカードをカード挿入口２−２から排出するクレジット精算部（図示せず）を備えている。
【００２４】
メモリーカード読取部３はメモリーカード挿入口に画像データが記憶されたメモリーカードが挿入されると、画像データを読み取る。ＵＳＢインターフェイス４はＵＳＢケーブルを介して外部デジタルカメラ等の撮像装置から送信される画像データを受信する。近距離通信データ受信部５は受信した赤外線データ（又は、無線データ）を画像データに変換する。
【００２５】
ＣＰＵ６はプリントベンダ１００全体の動作を制御すると共にプログラム格納メモリ７に格納されている制御プログラム及び専用プログラムにより、プリントベンダ１００の広告割引／画像印刷処理を実行する。
【００２６】
プログラム格納メモリ７はＲＯＭ等のメモリからなり、制御プログラムや本発明の広告割引機能を実現するため課金及び広告割引処理を行なう広告割引プログラムのほか、サムネイル画像表示／選択処理を実行するサムネイル画像選択プログラム、本画像データ（例えば、ＪＰＥＧ圧縮画像データ）を伸張する圧縮画像伸張プログラム等、料金計算／表示プログラム等のプログラム群を格納している。また、外部から取り込む画像データが本画像データのみの場合（サムネイル画像がない場合）に受信した本画像データからサムネイル画像を生成する画像縮小プログラムを格納するようにしてもよい。これらのプログラムはＣＰＵ６により適時プログラム格納メモリ７から取り出され、図示しないＲＡＭ に読み出されて起動される。
表示部８は、サムネイル画像選択プログラムにより、外部から取り込まれた画像データ中のサムネイル画像データを表示する。また、図３に示すようにサムネイル画像と共に印刷指定枚数や利用料を表示する。プリンタ９はユーザによって指定された画像を指定された枚数分印刷出力する。
【００２７】
広告画像正規化部１０は後述（図４〜図７）するように本画像に広告が写されているか否かの判別、広告画像の抽出及び正規化処理を行なう。また、広告画像比較部１１は広告画像正規化部１０で正規化された広告画像とデータベースに登録されている画像（登録広告画像）との比較を行ない、一致判定（ある一致率以上の場合を一致とする判定）を行なう。
【００２８】
データベース１２にはプリントシステムの運営業者やプリントベンダ１００の設置者やプリントベンダ１００の販売業者や貸し出し業者または広告業者等と契約済みの事業者の看板や広告設置物等の画像（広告画像）が登録（記憶）されている。また、クレジットカードによる精算がなされた場合のクレジット会員番号、利用日時、利用料金等を記憶するクレジット情報記憶領域及び広告が写された画像の印刷枚数及び広告画像の種類別印刷数等を記憶する広告印刷画像情報記憶領域が確保されている（図示略）。
【００２９】
また、データベース１２に登録されている広告画像データは本実施例では縦：横のサイズが１：１の所定のサイズの画像データであり、各画像の画素密度も同じである。
【００３０】
本実施例でデータベース１２はプリントベンダ１００に着脱可能な媒体（例えば、ＣＤ−ＲＯＭ）に格納されており、広告画像の更新（追加、削除等）時にはプリントシステムの運営業者やプリントベンダ１００の設置者により交換するように構成したが、これに限定されず、例えば、ＵＳＢケーブルを介して登録用広告画像データをプリントベンダ１００に取り込ませ、データベース更新用プログラムで更新するようにしてもよい。
【００３１】
ワークメモリ１３は取り込まれた画像の一次記憶領域及び伸張された本画像の一時記憶領域や正規化処理時の作業領域、画像比較時の作業領域等として用いられる。
【００３２】
また、本実施例では上記広告画像正規化部１０と広告画像比較部１１をハードウエア回路で構成したが、これらをプログラムで構成してプログラム格納メモリ７に格納しておき適時起動するように構成してもよい。また、上記図２の説明で、画像データの取り込み方法をメモリーカード読取部３、ＵＳＢインターフェイス４及び近距離通信データ受信部５による取り込みとしたが、これらに限定されない。また、図２ではメモリーカード読取部３、ＵＳＢインターフェイス４及び近距離通信データ受信部５を備えた例を示したがこれらのうちの１つまたは２つの組み合わせでもよい。この場合、図１のメモリーカード挿入口１６、ＵＳＢ端子１７及び近距離通信データ受信部５はメモリーカード読取部３、ＵＳＢインターフェイス４及び近距離通信データ受信部５の組み合わせに対応する。
【００３３】
図３は表示部８に表示された画像選択／料金表示画面の一実施例であり、画像選択／料金表示画面１１０は画像選択欄１１１と料金表示欄１１２からなり、ユーザがデジタルカメラ等の画像データをプリントベンダ１００に取り込ませると、画像選択欄１１１にサムネイル画像が表示される。ユーザは上述（図１）したように十字キー１−１及び確定キー１−２を操作してカーソル６１を移動させ、所望の画像を選択することができる。図示の例では第１行の左から３番目の画像が印刷画像として選択されている。なお、選択されたサムネイル画像に重畳表示されている数字「３」は印刷枚数である。
【００３４】
また、画像が選択され、印刷枚数指定操作がされると料金表示欄１１２に広告割引後の合計料金６２、通常料金の合計６３及び広告割引料金の合計６４が表示される。なお、この料金表示はユーザが印刷枚数指定操作でプラスキー１−３を１回押すたびに１枚分の料金が増加されて表示され、マイナスキー１−４を１回押すたびに１枚分の料金が差し引かれて表示される。
【００３５】
（画像正規化処理）
図４は広告が写っている本画像の一例を示す図であり、図示の例では子供を被写体とした本画像４０の背景に看板広告４１が写っている。また、図５は広告画像正規化部によって本画像から抽出された広告画像の抽出例を示す図であり、図示の例では図４に示した看板広告４１の画像（広告画像）４２がそのまま抽出されている。さらに、図６は広告画像正規化部による正規化後の広告画像を示す図であり、図示の例では図５の広告画像４２を正規化した正規化画像４３が示されている。
【００３６】
（広告割り引きによる画像印刷動作）
図７は、図１の広告割引機能付プリントシステムの広告割り引きによる画像印刷動作の一実施例を示すフローチャートである。
【００３７】
図７で、ユーザがプリントベンダ１００のメモリーカード挿入口１６、ＵＳＢ端子１７又は近距離通信データ受信部５を介してデジタルカメラ等の撮像装置（図示せず）とのデータアクセスを行なうと、サムネイル画像データがメモリーカード読取部３、ＵＳＢインターフェイス４、又は近距離通信データ受信部５を介してワークメモリ１３に取り込まれる（ステップＳ１）。
【００３８】
ＣＰＵ６はサムネイル画像選択プログラムを起動し、ワークメモリ１３に取り込まれたサムネイル画像を表示部８に送って図３に示すような画像選択／料金表示画面１１０の画像選択欄１１１に配列表示する（ステップＳ２）。
【００３９】
ユーザが十字キー１−１を操作して表示部８に表示されたサムネイル画像のうち印刷したい画像を指定し、確定キー１−２を操作すると印刷画像が選択される。また、ユーザがプラスキー１−３／マイナスキー１−４を操作すると印刷枚数カウンタに印刷枚数がカウントアップ又はカウントダウンされる。ＣＰＵ６は画像番号をワークメモリ１３に保持及びカウント値を対応付けて保持（一時記憶）すると共にカウント値を表示部８に送って、選択された画面上にカウント値（＝印刷枚数）を重畳表示する。また、ユーザが確定キー１−２を操作すると選択された画像の印刷枚数が確定する（ステップＳ３）。
【００４０】
ＣＰＵ６は表示部８に次の画像の選択を問うメッセージ（例えば、「十字キーを操作して次の画像を選択してください。次に画像がない場合はＯＫキーを押してください。」を表示してユーザの操作を促し、操作部１からの信号を調べ、十字キー１−１が操作された場合はステップＳ３に戻り、「ＯＫキー」（確定キー１−２）が操作された場合はステップＳ５に遷移する（ステップＳ４）。
【００４１】
上記ステップＳ４で「ＯＫキー」が操作された場合は、ＣＰＵ６はワークメモリ１３に保持した選択画像の画像番号を、順次、メモリーカード読取部３、ＵＳＢインターフェイス４又は近距離通信データ受信部５に送り、メモリーカード又は外部撮像装置から画像番号に対応する本画像データ（圧縮画像データ）を取り込ませ、本画像データが取り込まれるとそれをワークメモリ１３に記憶すると共に圧縮画像伸張プログラムを起動してワークメモリ１３に記憶した本画像データを伸張処理し、ワークメモリ１３の本画像データ記憶領域（図示せず）に記憶する（ステップＳ５）。
【００４２】
ＣＰＵ６は、次に、広告正規化処理部１０に制御を渡す。広告正規化処理部１０は伸張処理した本画像データから本画像を再生してサーチし、本画像に広告画像があるか否かを調べ、広告画像がある場合はステップＳ７に遷移する。また、広告画像が含まれていない場合はステップＳ９に遷移する（ステップＳ６）。
【００４３】
広告正規化処理部１０は図５の例に示したように本画像から広告画像を抽出し、抽出した広告画像を正規化する。正規化処理はデータベースに登録されている登録済み広告画像（比較画像）とを比較するため抽出画像の傾き（撮影時の被写体又はカメラの傾斜による画像の傾き）の補正及びノイズ消去処理を行なった後、これら処理後の抽出画像を所定のサイズに変換するサイズ変換により行なう。なお、正規化処理は上述した方法に限定されず、公知の方法によればよい（ステップＳ７）。
【００４４】
ＣＰＵ６は広告画像比較部１１に制御を渡し、抽出した広告画像の正規化画像とデータベース１２に登録されている広告比較画像とを順次比較し、登録されている広告画像のいずれかと一致（つまり、本画像に登録済み広告が写っている）していると判定した場合は割引枚数カウンタにこの画像の印刷枚数を加えてからステップＳ９に遷移する。また、一致しない場合は単にステップＳ９に遷移する。なお、一致判定は所定の一致度が所定値以上（例えば、一致率８０％以上）の場合に一致と判定する（ステップＳ８）。
【００４５】
ＣＰＵ６は印刷枚数カウンタ及び割引枚数カウンタにこの画像の印刷枚数を加える（ステップＳ９）。
【００４６】
ＣＰＵ６は料金計算／表示プログラムを起動して、利用料金、通常料金及び割引料金を算出し、算出結果を表示部８に送って図３の例に示すように料金表示欄１１２に表示する。ここで、利用料金＝通常料金マイナス割引料金、通常料金＝印刷枚数カウンタの値×単価、割引料金＝割引枚数カウンタの値×単価×（１−割引率）として計算できる。従って、上記ステップＳ８で本画像に登録された広告が写っていると判定された場合は利用料金は割り引き後の利用料金となる（ステップＳ１０）。
【００４７】
ＣＰＵ６は表示部８に次の画像選択又は印刷開始操作案内（例えば、「十字キーを操作して次の画像を選択するか、利用料金を入れて印刷開始ボタンを押してください」）画像を表示してユーザの操作を促し、ユーザが印刷開始ボタン１−５を押すとステップＳ１２に遷移し、十字キー１−１を操作した場合は次の印刷画像の選択等を行なうためにステップＳ３に戻る（ステップＳ１１）。
【００４８】
ＣＰＵ６は料金精算部２から送られてくる投入料金額を調べ、上記ステップＳ１０で計算した利用料金と一致する場合はステップＳ１３に遷移する。また、つり銭を要する場合は料金精算部２につり銭指示を行ない、つり銭排出口２−３からつり銭を排出させ、ステップＳ１３に遷移する。なお、料金精算部２はカード挿入口２−２からクレジットカードが挿入された場合はクレジット会員番号を読み取って提携の有無をチェックし、提携先クレジットカードの場合はクレジット会員番号、利用日時、利用料金、通常料金、割引料金、印刷枚数、割引枚数をデータベース１２のクレジット情報記憶領域に記憶し、提携先のクレジットカードでない場合はその旨のメッセージを表示し、現金投入を促す。また、プリペイドカードを読み取った場合は、プリペイドカードの度数から利用料金に相当する度数を差し引く（ステップＳ１２）。
【００４９】
ＣＰＵ６は圧縮プログラムを起動してワークメモリ１３に記憶されている本画像データのうち、印刷指定された本画像データの伸張処理を順次行ない、１画像分の伸張処理が終わるたびにその画像の印刷枚数情報と共に伸張済み画像データをプリンタ９の印刷画像バッファ（図示せず）に送り、プリンタ９に指定された枚数分の画像の印刷を行なわせる。この動作をワークメモリ１３に記憶されている全ての本画像データについて繰り返す。全ての印刷が終わると、印刷日時毎に割引した画像枚数（＝広告があった画像の印刷枚数）を広告画像の種類ごとにカウントした値をデータベース１２の広告印刷画像情報記憶領域に記憶して処理を終了する（ステップＳ１３）。
【００５０】
上記図７のフローチャートのＳ６〜Ｓ１２に示した動作により、プリントベンダ１００はユーザが印刷指定した画像に広告が写っているとその広告画像を抽出して正規化し、データベースに登録されている登録済み広告画像と比較し、一致していると利用料金を割り引くので、撮影者は登録されている広告を写せば印刷代が安くなるので従来構図から外していた看板広告等をいれた構図の写真をとる機会が増す。
【００５１】
また、上記ステップＳ１３で、広告印刷画像情報をデータベース１２に記憶するので、プリントシステムの運営業者は広告の写っていた画像の印刷実績をまとめて看板広告等の設置者（広告主）に報告し、利用実績に応じた広告料の獲得や広告契約の締結に資することができる。
【００５２】
なお、上記図７のフローチャートではステップＳ１でサムネイル画像を一括して取り込み、ステップＳ２で取り込んだサムネイル画像を表示するように構成したが、ステップＳ１の動作にサムネイル画像が撮像装置側で生成されていない場合には、本画像データを取り込みながら、縮小処理してサムネイル画像を生成する動作を加えるように構成し、ステップＳ２で生成したサムネイル画像を表示するようにしてもよい。
【００５３】
また、上記ステップＳ４〜Ｓ８で、印刷指定された本画像をサーチして広告が写っているとその画像（広告画像）を抽出して正規化し、データベースに登録されている登録済み広告画像と比較して一致判定するようにしたが、看板広告塔や野外広告等に予めバーコード等の広告識別情報を所定の位置に表示するようにしておき、データベースに広告識別情報を格納するように構成した場合は、ステップＳ４〜Ｓ８を印刷指定された本画像をサーチして広告識別情報があったとき、データベースに登録されている広告識別情報と比較して、割引の可否を判定するように構成することができる。
【００５４】
また、上記ステップＳ５では選択された印刷画像に対応する本画像データを１画像分ずつ取り込むように構成したが、対応する本画像データを一括して取り込むように構成してもよい。この場合、ユーザが料金表示を見て取消しや印刷枚数の変更ができるようにすることが望ましい。
【００５５】
また、広告比較画像は広告画像に限定されず、広告テキストデータでもよい。例えば、上記図７のステップＳ５で取り込んだ画像データから上記ステップＳ７で広告画像を抽出し正規化した後、文字認識処理を行なうように構成し、上記ステップＳ８でデータベースに登録されている広告テキストデータと比較するように構成することもできる。これにより、例えば、取り込んだ画像データに「〇〇コーラ」という文字が写っており、比較するテキストデータにも「〇〇コーラ」があれば割引サービスを受けることができる。
【００５６】
また、上記ステップＳ１０の料金計算で割引料金＝割引枚数カウンタの値×単価×（１−割引率）として計算する例を示したがこれに限定されない。例えば、割引計算は広告が写っていた場合にそれに伴って印刷できる枚数を増やすようにしてもよい。つまり、１０枚の料金で１１枚印刷できるなど写っていた広告の数に応じて無料印刷枚数を増やすようにしてもよい。また、ポイントカードを発行し、写っていた広告の数に応じてポイントを加算するようにしてもよい。この場合、ポイントがある程度たまれば金券と交換したり、広告料金からポイント分を割り引いたりするようにする。
【００５７】
＜第２の実施例＞
上記第１の実施例ではプリントベンダ１００の内部にデータベース１２を備えるように構成した例について説明したが、ネットワークを介してプリントベンダ１００にデータベースを設けずに、ネットワークを介して接続する外部情報処理装置側にデータベース１２と同様のデータ構成のデータベースを備えるように構成することができる。
【００５８】
図８は本発明の広告割引機能付プリントシステムの他の実施例の概要を示す図であり、プリントシステム４００は複数のプリントベンダ２００がインターネット等の通信ネットワーク５０を介してサーバ２５０と接続してなる。
【００５９】
ここで、プリントベンダ２００は図２のプリントベンダ１００の構成にネットワークデータ送受信部を含むネットワークインターフェイス１４及び通信制御プログラム（プログラム格納メモリ７に格納）を付加し、データベース１２を取り去った構成を成している。また、サーバ２５０は図２のデータベース１２と同様のデータ構成のデータベース２５５及びネットワーク５０を介して各プリントベンダ２００と接続している。また、データの送受信を行なうデータ送受信部２５１を備えている。
【００６０】
図９は、図８の広告割引機能付プリントシステムによる画像正規化処理後の動作の一実施例を示す図であり、プリントベンダ２００側の動作中、ステップＴ１〜Ｔ７の動作（図示せず）は図７のステップＳ１〜Ｓ７の動作と同様である。また、プリントベンダ２００は起動時に通信制御プログラムを稼動してネットワーク５０との接続が確立し、所定時間内においてネットワーク５０と常時接続しているものとする。なお、常時接続しているようにしてもよい。
【００６１】
（正規化処理以降の動作）
ステップＴ７（＝図７のステップＳ７）で、プリントベンダ２００で選択された画像に対応する本画像の正規化画像を生成すると、プリントベンダ２００のＣＰＵ６は「比較画像送信要求」データをネットワーク５０を介してサーバ２５０に送信する（ステップＴ８）。
【００６２】
サーバ２５０はデータ送受信部２５１を介してプリントベンダ２００から比較画像送信要求を受け取ると、データベース２５５から登録されている広告比較画像を読み出しデータ送受信部２５１を介して、所定のタイミングで１画像分、送信要求元のプリントベンダ２００宛て送信する（もちろん、一気に全ての広告画像を送信してもよいし、ある程度分けて送信してもよい）。また、データベース５０にこれ以上送信する登録済み広告画像が記憶されていない場合、つまり、広告比較画像が終了した場合は「比較画像終了通知」データを送信要求元のプリントベンダ２００宛て送信する（ステップＴ９）。
【００６３】
プリントベンダ２００はサーバ２５０から登録済み広告画像及び登録画像番号を受信すると、受信した登録済み広告画像と抽出した広告画像の正規化画像とを比較し、一致（つまり、本画像に登録済み広告が写っている）と判定した場合は割引枚数カウンタにこの画像の印刷枚数を加えステップＴ１１に遷移する。また、一致しない場合はステップＴ８に制御を戻して「次の比較画像送信要求」データをネットワーク５０を介してサーバ２５０に送信する。また、サーバ２５０から「比較画像終了通知」データを受信した場合はステップＴ１１に遷移する（ステップＴ１０）。
【００６４】
ＣＰＵ６は印刷枚数カウンタ及び割引枚数カウンタにこの画像の印刷枚数を加える（ステップＴ１１）。
【００６５】
ＣＰＵ６は料金計算／表示プログラムを起動して、利用料金、通常料金及び割引料金を算出し、算出結果を表示部８に送って図３の例に示すように料金表示欄１１２に表示する（ステップＴ１２）。
【００６６】
ＣＰＵ６は表示部８に次の画像選択又は印刷開始操作案内画像を表示してユーザの操作を促し、ユーザが印刷開始ボタン１−５を押すとステップＴ１４に遷移し、十字キー１−１を操作した場合は次の印刷画像の選択等を行なうためにステップＴ３（図７のステップＳ３と同様の画像選択印刷枚数指定動作：図示略）に戻る（ステップＴ１３）。
【００６７】
ユーザは現金、プリペイドカード又はクレジットカードで料金精算を行なうことができる。そこで、ＣＰＵ６はユーザの支払方法を判定するため料金精算部２からの信号を調べ、ユーザが現金又はプリペイドカードによる精算を行なった場合はステップＴ１７に遷移し、クレジットカードによる支払を行なおうとする場合はステップＴ１５に遷移する（ステップＴ１４）。
【００６８】
クレジットカードによる支払の場合は、ＣＰＵ６はネットワークを介してサーバ２５０にクレジット会員番号、利用日時、利用料金、通常料金、割引料金、印刷枚数、割引枚数を含むクレジット取引情報とプリントベンダの識別番号を送信し、ステップＴ１６に遷移する。（ステップＴ１５）。
【００６９】
サーバ２５０はプリントベンダ２００からクレジット取引情報及びプリントベンダの識別番号を受信すると、クレジット会員番号を基にして提携の有無をチェックし、提携先クレジットカードの場合は受信したクレジット情報をデータベース２５５のプリントベンダ識別番号に対応して割り付けられているクレジット取引情報記憶領域に記憶し、クレジット取引情報受信通知をネットワーク５０を介してクレジット情報の送信元のプリントベンダ２００に送信し、ステップＴ１８に遷移する。また、提携先のクレジットカードでない場合はクレジット情報不受理通知をネットワーク５０を介してクレジット情報の送信元のプリントベンダ２００に送信してステップＴ１８に遷移する（ステップＴ１６）。
【００７０】
ＣＰＵ６は料金精算部２から送られてくる投入料金額を調べ、上記ステップＴ１２で計算した利用料金と一致する場合はステップＴ１８に遷移する。また、つり銭を要する場合は料金精算部２につり銭指示を行ない、つり銭排出口２−３からつり銭を排出させ、ステップＴ１８に遷移する。なお、プリペイドカードを読み取った場合は、プリペイドカードの度数から利用料金に相当する度数を差し引き、ステップＴ１８に遷移する（ステップＴ１７）。
【００７１】
プリントベンダ２００は、料金精算部２で料金徴収が確認できた場合又はサーバ２５０からクレジット情報受信通知を受信した場合はステップＴ１９に遷移する。また、クレジット情報不受理通知を受信した場合は提携先クレジットカードでない旨のメッセージを表示し、現金投入を促しステップＴ１４に戻る（ステップＴ１８）。
【００７２】
プリントベンダ２００のＣＰＵ６は圧縮プログラムを起動してワークメモリ１３に記憶されている本画像データのうち、印刷指定された本画像データの伸張処理を順次行ない、１画像分の伸張処理が終わるたびにその画像の印刷枚数情報と共に伸張済み画像データをプリンタ９の印刷画像バッファ（図示せず）に送り、プリンタ９に指定された枚数分の画像の印刷を行なわせる。この動作をワークメモリ１３に記憶されている本画像データについて繰り返す。全ての印刷が終わると、印刷日時毎に割引した画像枚数（＝広告があった画像の印刷枚数）を広告画像の種類情報（＝登録画像番号）及び広告画像を種類毎にカウントした値を含む広告印刷画像情報とプリントベンダ識別番号をインターネット５０を介してサーバ２５０に送信する（ステップＴ１９）。
【００７３】
サーバ２５０はインターネット５０を介してプリントベンダ２００から広告印刷画像情報とプリントベンダ識別番号を受信すると広告印刷画像情報とプリントベンダ識別番号を関連付けてデータベース２５５に記憶する（ステップＴ２０）。
【００７４】
上記図９のフローチャートの動作により、広告画像を登録したデータベースを複数のプリントベンダで共有できデータベースの更新が簡単にできる。また、サーバ側に各プリントベンダの利用状況が記録されるので、第１の実施例のように各プリントベンダのデータベースからデータを取り出して収集する必要がない。
【００７５】
また、クレジットカード利用の場合に上記ステップＴ１５でサーバ側にクレジット情報が記録されるので、クレジット会社に対し、ネットワークを介してクレジット与信状況の問い合わせや利用料金の請求を行なうことができる。
【００７６】
また、上記ステップＴ１８でサーバ側に広告印刷画像情報が記憶されるので、プリントシステムの運営業者はネットワークを介して広告の写っていた画像の印刷実績をまとめて看板広告等の設置者（広告主）に報告し、利用実績に応じた広告料の獲得や広告契約の締結に資することができる。また、サーバ側で広告画像印刷利用状況を編集して閲覧可能に構成できることから、このようにした場合、各広告主は自社の広告画像印刷利用状況をネットワークを介して閲覧することもできる。
【００７７】
また、本実施例の変形例として、それぞれのプリントベンダ２００にも比較画像（登録済み広告画像）を記憶したデータベース（１２）を備え、上記ステップＴ１０の正規化された広告画像と比較画像との比較を図７のフローチャート（第１の実施例）のステップＳ８の動作と同様にプリントベンダ２００側で行なうようにし、バージョンアップの場合に、サーバ５０に更新データをプリントベンダに適時送信する手段（例えば、バージョンアッププログラム）を備えるようにしてデータベース（１２）を更新するように構成してもよい。このように構成すれば比較時にネットワークを介する必要がないので時間を短縮でき、通信費を節約できる。この場合は、図９のフローチャートのステップＴ８、Ｔ９及びステップＴ１０の比較画像受信判定及び比較画像終了通知受信判定動作は不要となる。
また、本実施例においても前述した第１の実施例と同様広告比較画像は広告画像に限定されず、広告テキストデータでもよい。また、上記ステップＴ１２の料金計算で割引料金＝割引枚数カウンタの値×単価×（１−割引率）として計算する例を示したがこれに限定されず、実施例１の場合（図７のステップＳ１０）と同様、割引計算は広告が写っていた場合にそれに伴って印刷できる枚数を増やすようにしてもよく、また、ポイントカードを発行するようにしてもよい。
【００７８】
＜第３の実施例＞
上記第２の実施例では各プリントベンダ２００が広告画像正規化部１０及び広告画像比較部１１を備え、プリントベンダ側で正規化処理及び比較処理を行なうように構成したが、サーバ側に広告画像正規化部及び広告画像比較部を備えるように構成し、サーバ側で正規化処理及び比較処理を行なうようにしてよい。
【００７９】
図１０は本発明の広告割引機能付プリントシステムの他の実施例の概要を示す図であり、プリントシステム５００は複数のプリントベンダ３００がインターネット等の通信ネットワーク５０を介してサーバ３５０と接続してなる。
【００８０】
図１０で、サーバ３５０は広告画像正規化部３５１及び広告画像比較部３５２を備えると共に、図８のデータベース２５５と同様のデータ構成のデータベース３５５を備えている。なお、広告画像正規化部３５１及び広告画像比較部３５２に代えて広告画像の正規化を実行する広告画像正規化プログラム及び正規化された広告画像と比較画像との一致判定を行なう広告画像比較プログラムをサーバ３５０のプログラム格納メモリ（図示せず）に格納しておき、適時実行するように構成してもよい。また、サーバ３５０はデータの送受信を行なうデータ送受信部３５３を備えている。
【００８１】
図１１は図１０に示したプリントベンダ３００の回路構成の一実施例を示すブロック図であり、プリントベンダ３００は、操作部１、料金精算部２、メモリーカード読取部３、ＵＳＢインターフェイス４、近距離通信データ受信部５、ＣＰＵ６、プログラム格納メモリ７、表示部８、プリンタ９、ワークメモリ１３及びネットワークインターフェイス１４を備えている。
【００８２】
ここで、プリントベンダ３００の構成は図２に示したプリントベンダ１００の構成から広告画像正規化部１０、広告画像比較部１１及びデータベース１２を取り去り、ネットワークデータ送受信部を含むネットワークインターフェイス１４を付加した構成を成している。また、プログラム格納メモリ７には通信制御プログラムが格納されている。
【００８３】
図１２は図１０の広告割引機能付プリントシステムによる画像取り込み後の動作の一実施例を示す図であり、プリントベンダ３００側の動作中、ステップＵ１〜Ｕ４（図示せず）の動作は図７のステップＳ１〜Ｓ４の動作と同様であり、ステップＵ１４以降の動作は図９のステップＴ１２以降の動作と同様である。
【００８４】
また、プリントベンダ３００は起動時に通信制御プログラムを移動してネットワーク５０との接続が確立し、所定時間内においてネットワーク５０と常時接続しているものとする。
【００８５】
（本画像データ取り込み以降の動作）
ステップＵ４（＝図７のステップＳ４）で、画像が選択された場合（「ＯＫキー」が操作された場合）は、ＣＰＵ６はワークメモリ１３に保持した選択画像の画像番号を、順次、メモリーカード読取部３、ＵＳＢインターフェイス４又は近距離通信データ受信部５に送り、メモリーカード又は外部撮像装置から画像番号に対応する本画像データ（圧縮画像データ）を取り込む（ステップＵ５）。
【００８６】
上記ステップＵ５でプリントベンダ３００が本画像データを取り込むと、ＣＰＵ６は本画像データとプリントベンダ３００の識別番号をネットワーク５０を介してサーバ３５０に送信する（ステップＵ６）。
【００８７】
サーバ３５０はプリントベンダ３００からデータ送受信部３５３を介して本画像データとプリントベンダ３００の識別番号を受信すると、広告正規化処理部３５１に制御を渡す。広告正規化処理部３５１は伸張処理した本画像データを伸張処理した本画像データを基に本画像を再生する（ステップＵ７）。
【００８８】
次に、広告正規化処理部３５１は再生画像をサーチし、画像に広告画像があるか否かを調べ、広告画像がある場合はステップＵ９に遷移する。また、広告画像が含まれていない場合はステップＵ１２に遷移する（ステップＵ８）。
【００８９】
広告正規化処理部３５１は本画像から広告画像を抽出し、抽出した広告画像の傾き補正、ノイズ消去及びサイズ変換等を行なって抽出した広告画像を正規化する（ステップＵ９）。
【００９０】
次に、サーバ５０は広告画像比較部３５２に制御を渡し、抽出した広告画像の正規化画像とデータベース３５５に登録されている広告画像とを順次比較し、登録されている広告比較画像のいずれかと一致していると判定した場合はステップＵ１１に遷移する。また、一致しない場合はステップＵ１２に遷移する（ステップＵ１０）。
【００９１】
一致判定がされた場合、サーバ３５０は比較結果、例えば、「広告画像存在通知」データをデータ送受信部３５３及びネットワーク５０を介して本画像データの送信元のプリントベンダ３００に送信する（ステップＵ１１）。
【００９２】
また、広告が写っていなかった場合及び不一致判定がなされた場合は比較結果、例えば、「広告画像不存在通知」データをデータ送受信部３５３及びネットワーク５０を介して本画像データの送信元のプリントベンダ３００に送信する（ステップＵ１２）。
【００９３】
本画像送信元のプリントベンダ３００側ではサーバ３５０から「広告画像存在通知」データを受信すると、ＣＰＵ６は割引枚数カウンタにこの画像の印刷枚数を加えてからステップＵ１４に遷移する。また、サーバ３５０から「広告画像不存在通知」データを受信すると、ＣＰＵ６は印刷枚数カウンタにこの画像の印刷枚数を加えてからステップＵ１４に遷移する（ステップＵ１３）。以下の動作は図９のステップＴ１２以降と同様である。
【００９４】
上記図１２のフローチャートに示した動作により、プリントベンダとして汎用の画像データを読み込む装置があれば、どこでも画像の割り引き印刷が可能になり、利用者の増加が見込み得るので、デジタルカメラ等の撮像装置で撮像した画像について画像印刷ビジネスが成り立ち得る。
【００９５】
また、本実施例においても前述した第１の実施例と同様広告比較画像は広告画像に限定されず、広告テキストデータでもよい。
【００９６】
以上、本発明の一実施例について説明したが本発明は上記実施例に限定されるものではなく、種々の変形実施が可能であることはいうまでもない。
【００９７】
【発明の効果】
上記説明したように、第１の発明の画像プリント装置及び第２、第３の発明の画像プリントシステムによれば、画像プリント装置が外部保存記憶手段から画像を取り込むと、写真（画像）に写っている広告情報が契約済み広告主の広告情報の場合は印刷料金の割引が行なわれるので、ユーザは登録されている広告を写せば印刷代が安くなることから従来構図から外していた看板広告等の広告を構図に入れた写真をとる機会が増す。また、画像プリントシステムの運営業者にとって広告を構図に入れた写真の増加によりユーザが画像プリントシステムを使用する機会が増加することが見込まれるので、画像プリントシステムの運営業者は契約済みの広告主からの広告料と印刷代から収入を得て利益に資することができる。また、広告主にとって、広告情報を構図に入れた写真（画像）の印刷が増せば増すほど広告効果があがることが見込まれ、画像プリントシステムの運営業者に広告料を支払っても採算が合うことが見込まれることから、画像プリントシステムの運営業者と契約する広告主の増加が期待できる。また、画像から広告画像を抽出して正規化するので、看板広告等のように大きさが異なった広告や傾いて写っている広告画像と広告情報記憶手段に記憶されている比較用の画像を比較することができる。
【００９９】
また、第２の発明の画像プリントシステムによれば、サーバ側にバージョンアップ用広告画像を記憶し、適時、ネットワークを介して画像印刷装置の広告比較画像記憶手段の記憶内容を更新することができるので、広告比較画像の更新の手間がかからない。また、比較時にネットワークを介する必要がないので時間を短縮でき、通信費を節約できる。
【０１００】
また、第３の発明の画像プリントシステムによれば、サーバ側に比較用の広告情報を登録した広告情報記憶手段を備えているので、複数の画像プリント装置でサーバの広告情報記憶手段を共有でき、画像プリント装置側ではサーバからの比較結果に基いて利用料金の割引を行なって画像を印刷すればよいので、画像プリント装置の機能及び構成を簡略化することができる。
【０１０１】
また、第４の発明の画像プリント方法及び第５の発明の画像プリントプログラムによれば、写真（画像）に写っている広告情報が契約済み広告主の広告情報の場合は印刷料金の割引が行なわれる。従って、ユーザは広告を写せば印刷代が安くなることから従来構図から外していた看板広告等の広告を構図に入れた写真をとる機会が増す。また、画像プリントシステムの運営業者にとって広告を構図に入れた写真の増加によりユーザが画像プリントシステムを使用する機会が増加することが見込まれる。また、広告主にとって、広告情報を構図に入れた写真（画像）の印刷が増せば増すほど広告効果があがることが見込まれる。
【図面の簡単な説明】
【図１】本発明の広告割引機能付プリントシステムの一実施例の外観図である。
【図２】図１に示したプリントシステムの回路構成の一実施例を示すブロック図である。
【図３】表示部に表示された画像選択／料金表示画面の一実施例である。
【図４】広告が写っている本画像の一実施例を示す図である。
【図５】広告画像正規化部によって本画像から抽出された広告画像の抽出例を示す図である。
【図６】広告画像正規化部による正規化後の広告画像を示す図である。
【図７】図１の広告割引機能付プリントシステムの広告割り引きによる画像印刷動作の一実施例を示すフローチャートである。
【図８】本発明の広告割引機能付プリントシステムの他の実施例の概要を示す図である。
【図９】図８の広告割引機能付プリントシステムによる画像正規化処理後の動作の一実施例を示すフローチャートである。
【図１０】本発明の広告割引機能付プリントシステムの他の実施例の概要を示す図である。
【図１１】図１０に示したプリントベンダの回路構成の一実施例を示すブロック図である。
【図１２】図１０の広告割引機能付プリントシステムによる画像取り込み後の動作の一実施例を示すフローチャートである。
【符号の説明】
６  ＣＰＵ（料金計算手段）
１０  広告画像正規化部（広告情報抽出手段、正規化手段）
１１  広告画像比較部（比較手段）
１２  データベース（広告情報記憶手段）
１４  ネットワークインターフェイス（広告情報受信手段、画像データ送信手段、比較結果受信手段）
４０  本画像（画像データ、広告情報、広告画像）
４２  看板広告（広告情報）
４３  正規化画像（広告情報、広告画像）
５０  ネットワーク
１００  プリントベンダ（画像プリント装置）
２００、３００  プリントベンダ（画像プリント装置）
２５０、３５０  サーバ
２５１  データ送受信部（広告情報送信手段）
２５５  データベース（広告情報記憶手段）
３５１  広告画像正規化部（広告情報抽出手段、正規化手段）
３５２  広告画像比較部（比較手段）
３５３  データ送受信部（画像データ受信手段、比較結果送信手段）
３５５  データベース（広告情報記憶手段）
４００、５００  （画像プリントシステム）
【図１】
0003979063.tif 000002
【図２】
0003979063.tif 000003
【図３】
0003979063.tif 000004
【図４】
0003979063.tif 000005
【図５】
0003979063.tif 000006
【図６】
0003979063.tif 000007
【図７】
0003979063.tif 000008
【図８】
0003979063.tif 000009
【図９】
0003979063.tif 000010
【図１０】
0003979063.tif 000011
【図１１】
0003979063.tif 000012
【図１２】
0003979063.tif 000013